(57)【特許請求の範囲】
【請求項１】
複数の基地局から出力された変調波を非同期に受信するスペクトル拡散受信装置であって、
前記変調波をベースバンド信号に変換する無線回路と、
前記ベースバンド信号をシンボルデータに変換する複数のフィンガと、
前記複数の基地局の夫々と、前記複数のフィンガとの対応関係を記憶するパラメータレジスタと、
前記複数のフィンガから出力された前記シンボルデータを、前記基地局毎に合成するＲＡＫＥ合成部と、
前記複数のフィンガからＢＡＮＫ完了信号を受信し、前記複数の基地局の一に対応する全てのフィンガからＢＡＮＫ完了信号を受信したことを、前記パラメータレジスタに基づいて確認し、ＲＡＫＥ合成開始信号により前記ＲＡＫＥ合成部に合成処理を指示する調停回路部と
を備えるスペクトル拡散受信装置。
【請求項２】
前記複数のフィンガの夫々は、
前記基地局を識別するための基地局番号が対応付けられ、
前記調停回路部は、
前記複数のフィンガから出力された前記基地局番号と、前記パラメータレジスタに基づいて、前記ＲＡＫＥ合成部に合成処理を指示する
請求項１に記載のスペクトル拡散受信装置。
【請求項３】
請求項１又は２に記載のＲＡＫＥ合成部と調停回路部とを備えるＲＡＫＥ受信器。
【請求項４】
複数の基地局から出力された変調波を非同期に受信するスペクトル拡散受信装置により実行されるＲＡＫＥ合成方法であって、
無線回路が、前記変調波をベースバンド信号に変換するステップと、
複数のフィンガが、前記ベースバンド信号をシンボルデータに変換するステップと、
ＲＡＫＥ合成部が、前記複数のフィンガから前記シンボルデータを受信するステップと、
調停回路部が、前記複数のフィンガからＢＡＮＫ完了信号を受信するステップと、
調停回路部が、前記複数の基地局の一に対応する全てのフィンガからＢＡＮＫ完了信号を受信したことを、パラメータレジスタに基づいて確認するステップと、
調停回路部が、ＲＡＫＥ合成開始信号により前記ＲＡＫＥ合成部に合成処理を指示するステップと、
ＲＡＫＥ合成部が、前記複数の基地局の一に対応する全てのフィンガから出力された前記シンボルデータを合成するステップと
を含むＲＡＫＥ合成方法。
【請求項５】
前記複数のフィンガの夫々は、
前記基地局を識別するための基地局番号が対応付けられ、
前記合成処理を指示するステップは、
前記複数のフィンガから出力された前記基地局番号と、前記パラメータレジスタに基づいて、前記ＲＡＫＥ合成部に合成処理を指示する
請求項４に記載のＲＡＫＥ合成方法。
【発明の詳細な説明】
【技術分野】
【０００１】
本発明はスペクトル拡散受信装置に関し、特に異なるタイミングの複数基地局からのチャネル受信に関する。
【背景技術】
【０００２】
近年、携帯電話の普及により、携帯電話を利用したメールなどのインターネット接続サービスの利用が増加している。携帯電話に搭載されるデジタルカメラの高解像度化や、携帯電話の画面の高精細化により、データを送受信する高速のパケット通信が望まれている。
【０００３】
第三世代携帯電話システムの標準化団体である３ＧＰＰにより、高速なパケット通信の規定としてＨＳＤＰＡとＨＳＵＰＡ（＊）方式が規定されている（以降、ＨＳＵＰＡ規格と称す）。ＨＳＤＰＡは、基地局から端末方向へのいわゆる下り方向の通信高速化技術であり、ＨＳＵＰＡ規格は、端末から基地局方向への上り方向の通信高速化技術である。
【０００４】
図４は、従来のスペクトル拡散受信装置の構成図である。従来のスペクトル拡散受信装置は、アンテナ１、無線回路２、タイミング制御回路３、フィンガ１００、１０１、１０２、タイミング調整回路７１、記憶回路８１、ＲＡＫＥ合成器１０で構成される。フィンガ１００ は、レプリカ符号発生器４０、相関器５０、同期検波器６０から構成される。同様にフィンガ１０１は、レプリカ符号発生器４１、相関器５１、同期検波器６１から、フィンガ１０２は、レプリカ符号発生器４２、相関器５２、同期検波器６２から構成される。
【０００５】
本構成において、まず、アンテナ１で受信された変調波を無線回路２がベースバンド信号に変換する。タイミング制御回路３はベースバンド信号からマルチパスの位相（フィンガ処理タイミング１１０、１１１、１１２）を検出する。フィンガ１００は、フィンガ処理タイミング１１０に従って逆拡散を行ない、逆拡散データ１２０と逆拡散データ出力フラグ１５０を出力する。同様にフィンガ１０１は、フィンガ処理タイミング１１１に従って逆拡散を行ない、逆拡散データ１２１と逆拡散データ出力フラグ１５１を出力し、フィンガ１０２は、フィンガ処理タイミング１１２に従って逆拡散を行ない、逆拡散データ１２２と逆拡散データ出力フラグ１５２を出力する。
【０００６】
タイミング調整回路７１は、逆拡散データ出力フラグ（１５０、１５１、１５２） により、各フィンガの処理が終了したことを検出し、逆拡散データ（１２０、１２１、１２２）のタイミング調停を行なう。タイミング調整回路７１は、逆拡散データ出力フラグが１個だけ入力された場合、すなわち、各フィンガ１００、１０１、１０２の処理タイミングが異なる場合、逆拡散データ出力フラグ１５０、１５１、１５２のいずれかが入力されたタイミングで記憶回路８１に逆拡散データを書き込む。このとき、フィンガ番号、シンボル番号、書き込みアドレス１３０、書き込み信号１３２により、逆拡散データが書き込みデータ１３１として記憶回路８１に書き込まれる。
【０００７】
タイミング調整回路７１に複数の逆拡散データ出力フラグ１５０、１５１、１５２が入力された場合、すなわち、各フィンガ１００、１０１、１０２の処理タイミングが同時となるような場合は、あらかじめ決められた優先順位に基づいた順番で記憶回路８１への逆拡散データの書き込みが行なわれる。例えば、逆拡散データ出力フラグ１５０、１５１、１５２が同時に３個入力された場合、すなわち、３本のフィンガのタイミングが同時であった場合、まず、逆拡散データ１２０を記憶回路８１に書き込む。次に、１サイクル待った後、逆拡散データ１２１を記憶回路８１に書き込む。同様に、更に１サイクル待った後、逆拡散データ１２２を記憶回路８１に書き込む。
【０００８】
記憶回路８１にはある長さ単位（スロット単位等）の２倍の逆拡散データが格納される。タイミング調整回路７１は、ある長さ単位（スロット単位） の逆拡散データの格納が終了した後、タイミング信号９を発生し、ＲＡＫＥ合成器１０に通知する。ＲＡＫＥ合成器１０は、このタイミング信号９により、読み出しアドレス１４０のデータを読み出し信号１４２ によって逆拡散データを読み出して（読み出しデータ１４１） ＲＡＫＥ合成を行なう。この動作と並行して、記憶回路８１の別のアドレスには逆拡散データが順次書き込まれる。なお、レプリカ符号発生器４０、４１、４２、相関器５０、５１、５２、同期検波器６０、６１、６２の構成は従来から周知化されており、また、本発明とは直接関係しないので、その詳細な説明は省略する。
【０００９】
尚、ＨＳＤＰＡ規格においては、各基地局間で同期をとっている。このため、ＲＡＫＥ合成器に入力されるシンボルデータは、ＨＳＤＰＡ規格で定められたタイミングで基地局側より送信されており、シンボルデータも同じであるため合成することができる。図９は、フィンガ１〜フィンガＮを有するＲＡＫＥ合成器における処理タイミングを示している。
【００１０】
図４と照らし合わせて動作を説明すると、フィンガ１〜フィンガNの各フィンガは受信処理が完了した後、タイミング調整回路７１を介してＢＡＮＫ完了信号をＲＡＫＥ合成器１０に通知する。ＲＡＫＥ合成器１０は、フィンガ１〜フィンガＮの全てからＢＡＮＫ完了信号を受けたことを以って、合成処理を行う。従い、合成された信号は複数の基地局からのシンボルデータに基づくものである。
【００１１】
このように、ＨＳＤＰＡ規格は、いわゆる個別チャネル方式であり、端末は、逆拡散されたデータがどの基地局のものであるのかを認識することなく、復調処理を行っている。
【特許文献１】特許第３３９８７０８号
【発明の開示】
【発明が解決しようとする課題】
【００１２】
一方、ＨＳＵＰＡ規格は、複数の基地局から非同期にベースバンド信号を受けることができるようにということで策定された規格である。
（ＨＳＵＰＡ：３ＧＰＰ Ｒｅｌｅａｓｅ.６で２００６年に規定された上り方向の高速化を行うパケット通信規格）
【００１３】
従来のＲＡＫＥ合成器ならびにＲＡＫＥ合成方法は、上述の通り、逆拡散したデータがどの基地局から受信したものであるのかを識別していないため、基地局毎に分類して合成処理を行うことができず、複数の基地局からのベースバンド信号を合成してしまうという課題がある。
【課題を解決するための手段】
【００１４】
ＨＳＵＰＡ規格のチャネルに対応するため、ＲＡＫＥ受信時にフィンガ毎の基地局番号を持たせることにより、基地局番号を判別できるようにし、異なる基地局毎に区別したＲＡＫＥ受信が可能となる。
【００１５】
図１０及び図１１は、フィンガ１〜フィンガＮを有するＲＡＫＥ合成器における処理タイミングを示している。図１０は、基地局１のＲＡＫＥ合成完了後に基地局２のＲＡＫＥ合成が開始されるパターン、図１１は、基地局１のＲＡＫＥ合成中に基地局２のＲＡＫＥ合成準備ができたパターンを示しており、いずれの場合でも、合成開始信号に基づいて、基地局１と基地局２の処理を独立させて合成処理を行っていることを示している。
【００１６】
図１と照らし合わせて動作を説明すると、各フィンガは受信処理が完了した後、ＢＡＮＫ完了信号をＲＡＫＥ合成器Ｈ４１に通知する。ＲＡＫＥ合成器Ｈ４１は、フィンガ１〜フィンガＮに割り当てられた基地局番号と、調停回路Ｈ４２を介してパラメータレジスタ６に登録された有効フィンガ情報とを対比し、各々の基地局に属するフィンガの全てからＢＡＮＫ完了信号を受けたことを以って、基地局単位に合成処理を行う。
【発明の効果】
【００１７】
本発明により、その効果として、図４に示すフィンガ１００とフィンガ１０１が基地局０に、フィンガ１０２が基地局１に割り当てられた場合でも、各フィンガが割り当てられている基地局を識別する機能が備わるため、基地局０と基地局１のデータを別々の基地局データとして合成することができ、基地局毎の正しいデータを受信することができる。
【発明を実施するための最良の形態】
【００１８】
以下、添付した図面を参照して本発明の実施の形態について説明する。
【００１９】
図１は、本発明のスペクトル拡散受信装置の構成図である。実施例１は、アンテナ１、無線回路２と、フィンガ３１、フィンガ３２、フィンガ３３、フィンガ３４、フィンガ３５、フィンガ３Ｎ、ＲＡＫＥ受信器４、復調出力１１、復調基地局番号２３０、パラメータレジスタ６とを有するスペクトル拡散受信装置Ｈ１で構成される。
【００２０】
無線回路２は、ベースバンド信号２１により、フィンガ３１、フィンガ３２、フィンガ３３、フィンガ３４、フィンガ３５、フィンガ３Ｎ に接続する構成になっている。予め基地局番号が設定された各フィンガは、フィンガ３１のシンボルデータＨ１１１、ＲＡＫＥ合成部Ｈ４１からフィンガ３１へのリード信号Ｈ１１２、フィンガ３２のシンボルデータＨ１２１、ＲＡＫＥ合成部Ｈ４１からフィンガ３２へのリード信号Ｈ１２２、フィンガ３３のシンボルデータＨ１３１、ＲＡＫＥ合成部Ｈ４１からフィンガ３３へのリード信号Ｈ１３２、フィンガ３４のシンボルデータＨ１４１、ＲＡＫＥ合成部Ｈ４１からフィンガ３４へのリード信号Ｈ１４２、フィンガ３５のシンボルデータＨ１５１、ＲＡＫＥ合成部Ｈ４１からフィンガ３５へのリード信号Ｈ１５２、フィンガ３ＮのシンボルデータＨ１Ｎ１、ＲＡＫＥ合成部Ｈ４１からフィンガ３Ｎへのリード信号Ｈ１Ｎ２により、ＲＡＫＥ合成部Ｈ４１に接続する構成になっている。
【００２１】
各フィンガは受信されたシンボルデータを格納する格納領域を持つ。図８に前記格納領域のアドレスマップ構成を説明する。各フィンガにはアドレスが割り当ててあり、１つのアドレスＡＤＲの１０〜８ビット目にフィンガ番号、７〜４ビット目にバンク番号、３〜０ビット目にシンボル数が割り当てられ、アドレスの低い順番にデータが格納され、一番高いアドレスになったら次の書き込みでオフセットが０に戻るリングバッファの構成になっている。具体的には、フィンガ３１に０ｘ０００〜０ｘ０ＦＦ、フィンガ３２に０ｘ１００〜０ｘ１ＦＦ、フィンガ３３に０ｘ２００〜０ｘ２ＦＦ、フィンガ３４に０ｘ３００〜０ｘ３ＦＦ、フィンガ３５に０ｘ４００〜０ｘ４ＦＦ、フィンガ３Ｎに０ｘ５００〜０ｘ５ＦＦに割り当てられる。
【００２２】
また各フィンガのＢＡＮＫは５つに分かれており、フィンガのアドレスに次に示すオフセットを加算したものが物理的なアドレスとなる。そのデータはＢａｎｋ０に０ｘ００〜０ｘ０Ｆ、Ｂａｎｋ１に０ｘ１０〜０ｘ１Ｆ、Ｂａｎｋ２に０ｘ２０〜０ｘ２Ｆ、Ｂａｎｋ３に０ｘ３０〜０ｘ３Ｆ、Ｂａｎｋ４に０ｘ４０〜０ｘ４Ｆに割り当てられる。さらに各フィンガのシンボルは４つに分かれており、Ｓｙｍｂｏｌ０に０ｘ０、Ｓｙｍｂｏｌ１に０ｘ１、Ｓｙｍｂｏｌ２に０ｘ２、Ｓｙｍｂｏｌ３に０ｘ３に割り当てられる。
【００２３】
各フィンガのシンボル領域に全データが格納された時点で各フィンガのＢＡＮＫ完了信号が発生する。具体的にはフィンガ３１の基地局番号Ｈ１１３、フィンガ３１のＢＡＮＫ完了信号Ｈ１１４、フィンガ３２の基地局番号Ｈ１２３、フィンガ３２のＢＡＮＫ完了信号Ｈ１２４、フィンガ３３の基地局番号Ｈ１３３、フィンガ３３のＢＡＮＫ完了信号Ｈ１３４、フィンガ３４の基地局番号Ｈ１４３、フィンガ３４のＢＡＮＫ完了信号Ｈ１４４、フィンガ３５の基地局番号Ｈ１５３、フィンガ３５のＢＡＮＫ完了信号Ｈ１５４、フィンガ３Ｎの基地局番号Ｈ１Ｎ３、フィンガ３ＮのＢＡＮＫ完了信号Ｈ１Ｎ４により、調停回路部Ｈ４２に接続する構成になっている。
【００２４】
ＲＡＫＥ受信器４は、ＲＡＫＥ合成部Ｈ４１、調停回路部Ｈ４２で構成される。ＲＡＫＥ合成部Ｈ４１は、ＲＡＫＥ受信開始信号２０１、ＲＡＫＥ受信完了信号２０２、ＲＡＫＥ受信基地局番号２３１、フィンガ３１の基地局番号２１１、フィンガ３２の基地局番号２１２、フィンガ３３の基地局番号２１３、フィンガ３４の基地局番号２１４、フィンガ３５の基地局番号２１５、フィンガ３Ｎの基地局番号２１Ｎ、ＲＡＫＥ受信する基地局のＢＡＮＫ番号２２０により、調停回路部Ｈ４２に接続される構成になっている。
【００２５】
調停回路部Ｈ４２は、基地局０の有効フィンガ情報Ｈ６０、基地局１の有効フィンガ情報Ｈ６１、基地局２の有効フィンガ情報Ｈ６２、基地局３の有効フィンガ情報Ｈ６３により、基地局と有効フィンガを対応付けるテーブルである予め基地局番号とフィンガ等の比較条件が設定されたパラメータレジスタ６に接続する構成になっている。
【００２６】
図２は、本発明の調停回路部の構成図である。本発明の調停回路部Ｈ４２は、基地局０完了検出部４２０、基地局１完了検出部４２１、基地局２完了検出部４２２、基地局３完了検出部４２３、基地局調停部４２４で構成される。
【００２７】
基地局０完了検出部４２０は、フィンガ３１の基地局番号Ｈ１１３、フィンガ３１のＢＡＮＫ完了信号Ｈ１１４、フィンガ３２の基地局番号Ｈ１２３、フィンガ３２のＢＡＮＫ完了信号Ｈ１２４、フィンガ３３の基地局番号Ｈ１３３、フィンガ３３のＢＡＮＫ完了信号Ｈ１３４、フィンガ３４の基地局番号Ｈ１４３、フィンガ３４のＢＡＮＫ完了信号Ｈ１４４、フィンガ３５の基地局番号Ｈ１５３、フィンガ３５のＢＡＮＫ完了信号Ｈ１５４、フィンガ３Ｎの基地局番号Ｈ１Ｎ３、フィンガ３ＮのＢＡＮＫ完了信号Ｈ１Ｎ４、基地局０の有効フィンガ情報Ｈ６０が接続される構成になっている。
【００２８】
基地局１完了検出部４２１は、フィンガ３１の基地局番号Ｈ１１３、フィンガ３１のＢＡＮＫ完了信号Ｈ１１４、フィンガ３２の基地局番号Ｈ１２３、フィンガ３２のＢＡＮＫ完了信号Ｈ１２４、フィンガ３３の基地局番号Ｈ１３３、フィンガ３３のＢＡＮＫ完了信号Ｈ１３４、フィンガ３４の基地局番号Ｈ１４３、フィンガ３４のＢＡＮＫ完了信号Ｈ１４４、フィンガ３５の基地局番号Ｈ１５３、フィンガ３５のＢＡＮＫ完了信号Ｈ１５４、フィンガ３Ｎの基地局番号Ｈ１Ｎ３、フィンガ３ＮのＢＡＮＫ完了信号Ｈ１Ｎ４、基地局１の有効フィンガ情報Ｈ６１が接続される構成になっている。
【００２９】
基地局２完了検出部４２２は、フィンガ３１の基地局番号Ｈ１１３、フィンガ３１のＢＡＮＫ完了信号Ｈ１１４、フィンガ３２の基地局番号Ｈ１２３、フィンガ３２のＢＡＮＫ完了信号Ｈ１２４、フィンガ３３の基地局番号Ｈ１３３、フィンガ３３のＢＡＮＫ完了信号Ｈ１３４、フィンガ３４の基地局番号Ｈ１４３、フィンガ３４のＢＡＮＫ完了信号Ｈ１４４、フィンガ３５の基地局番号Ｈ１５３、フィンガ３５のＢＡＮＫ完了信号Ｈ１５４、フィンガ３Ｎの基地局番号Ｈ１Ｎ３、フィンガ３ＮのＢＡＮＫ完了信号Ｈ１Ｎ４、基地局２の有効フィンガ情報Ｈ６２が接続される構成になっている。
【００３０】
基地局３完了検出部４２３は、フィンガ３１の基地局番号Ｈ１１３、フィンガ３１のＢＡＮＫ完了信号Ｈ１１４、フィンガ３２の基地局番号Ｈ１２３、フィンガ３２のＢＡＮＫ完了信号Ｈ１２４、フィンガ３３の基地局番号Ｈ１３３、フィンガ３３のＢＡＮＫ完了信号Ｈ１３４、フィンガ３４の基地局番号Ｈ１４３、フィンガ３４のＢＡＮＫ完了信号Ｈ１４４、フィンガ３５の基地局番号Ｈ１５３、フィンガ３５のＢＡＮＫ完了信号Ｈ１５４、フィンガ３Ｎの基地局番号Ｈ１Ｎ３、フィンガ３ＮのＢＡＮＫ完了信号Ｈ１Ｎ４、基地局３の有効フィンガ情報Ｈ６３が接続される構成になっている。
【００３１】
基地局０完了検出部４２０は、基地局０−ＲＡＫＥ受信要求４２０１、基地局０−ＲＡＫＥ受信完了４２０２、基地局０−ＲＡＫＥ受信ＢＡＮＫ番号４２０３により、基地局調停部４２４と接続される構成になっている。
【００３２】
基地局１完了検出部４２１は、基地局１−ＲＡＫＥ受信要求４２１１、基地局１−ＲＡＫＥ受信完了４２１２、基地局１−ＲＡＫＥ受信ＢＡＮＫ番号４２１３により、基地局調停部４２４と接続される構成になっている。
【００３３】
基地局２完了検出部４２２は、基地局２−ＲＡＫＥ受信要求４２２１、基地局２−ＲＡＫＥ受信完了４２２２、基地局２−ＲＡＫＥ受信ＢＡＮＫ番号４２２３により、基地局調停部４２４と接続される構成になっている。
【００３４】
基地局３完了検出部４２３は、基地局３−ＲＡＫＥ受信要求４２３１、基地局３−ＲＡＫＥ受信完了４２３２、基地局３−ＲＡＫＥ受信ＢＡＮＫ番号４２３３により、基地局調停部４２４と接続される構成になっている。
【００３５】
基地局調停部４２４は、ＲＡＫＥ受信開始信号２０１、ＲＡＫＥ受信完了信号２０２、フィンガ３１の基地局番号２１１、フィンガ３２の基地局番号２１２、フィンガ３３の基地局番号２１３、フィンガ３４の基地局番号２１４、フィンガ３５の基地局番号２１５、フィンガ３Ｎの基地局番号２１Ｎ、ＲＡＫＥ受信する基地局のＢＡＮＫ番号２２０、ＲＡＫＥ受信基地局番号２３１を、ＲＡＫＥ合成部Ｈ４１に接続する構成になっている。
【００３６】
図１の、本発明のスペクトル拡散受信装置の動作を説明する。本発明のスペクトル拡散受信装置は、アンテナ１で受信された変調波を無線回路２がベースバンド信号２１に変換し各フィンガにベースバンド信号２１を出力するまでは従来の動作と同じである。
【００３７】
ベースバンド信号２１は、フィンガ３１、 フィンガ３２、 フィンガ３３、 フィンガ３４、 フィンガ３５、 フィンガ３Ｎに入力される。フィンガ３１、フィンガ３２、フィンガ３３、フィンガ３４、フィンガ３５、フィンガ３Ｎは、ベースバンド信号２１をシンボルデータに変換し、シンボルデータを図８で示す格納領域に保持する。
【００３８】
フィンガ３１のシンボルデータＨ１１１、フィンガ３２のシンボルデータＨ１２１、フィンガ３３のシンボルデータＨ１３１、フィンガ３４のシンボルデータＨ１４１、フィンガ３５のシンボルデータＨ１５１、フィンガ３ＮのシンボルデータＨ１Ｎ１は、フィンガ３１、フィンガ３２、フィンガ３３、フィンガ３４、フィンガ３５、フィンガ３Ｎが保持しているシンボルデータを示す。
【００３９】
ＲＡＫＥ受信は、基地局に属するすべてのフィンガのシンボル受信が完了した順に処理を行う。
【００４０】
基地局０をＲＡＫＥ受信処理する場合は、フィンガ３１〜３Ｎから調停回路部Ｈ４２に入力されるフィンガ３１の基地局番号Ｈ１１３、フィンガ３２の基地局番号Ｈ１２３、フィンガ３３の基地局番号Ｈ１３３、フィンガ３４の基地局番号Ｈ１４３、フィンガ３５の基地局番号Ｈ１５３、フィンガ３Ｎの基地局番号Ｈ１Ｎ３とパラメータレジスタ６内の基地局０の有効フィンガ情報Ｈ６０とを比較し、フィンガ３１〜３Ｎの基地局０に属するフィンガを判別し、前記すべてのフィンガからシンボルの受信完了信号を示すＢＡＮＫ完了信号が調停回路部Ｈ４２に入力されるのを待つ。前記すべてのフィンガのシンボル受信が完了すると、調停回路部Ｈ４２よりＲＡＫＥ受信開始信号２０１とフィンガ３１〜３Ｎの基地局０に属する基地局番号とＲＡＫＥ受信基地局番号２３１とをRAKE合成部Ｈ４１へ出力する。RAKE合成部Ｈ４１は、フィンガ３１〜３Ｎの基地局０に属する基地局番号のデータを読み出すため、基地局０に属するフィンガ３１〜３Ｎに対してリード信号を出力し、アドレスの低い順に各フィンガよりシンボルデータを読み出し、ＲＡＫＥ受信処理を行い、ＲＡＫＥ合成部Ｈ４１より復調出力１１と復調基地局番号２３０を出力し、ＲＡＫＥ受信完了信号２０２を調停回路部Ｈ４２に出力し、ＲＡＫＥ受信処理が終了したことを通知し、次の受信待ち状態になる。
【００４１】
基地局１のＲＡＫＥ受信処理する場合は、フィンガ３１〜３Ｎから調停回路部Ｈ４２に入力されるフィンガ３１の基地局番号Ｈ１１３、フィンガ３２の基地局番号Ｈ１２３、フィンガ３３の基地局番号Ｈ１３３、フィンガ３４の基地局番号Ｈ１４３、フィンガ３５の基地局番号Ｈ１５３、フィンガ３Ｎの基地局番号Ｈ１Ｎ３とパラメータレジスタ６内の基地局１の有効フィンガ情報Ｈ６１とを比較し、フィンガ３１〜３Ｎの基地局１に属するフィンガを判別し、前記すべてのフィンガからシンボルの受信完了信号を示すＢＡＮＫ完了信号が調停回路部Ｈ４２に入力されるのを待つ。前記すべてのフィンガのシンボル受信が完了すると、調停回路部Ｈ４２よりＲＡＫＥ受信開始信号２０１とフィンガ３１〜３Ｎの基地局１に属する基地局番号とＲＡＫＥ受信基地局番号２３１とをRAKE合成部Ｈ４１へ出力する。RAKE合成部Ｈ４１は、フィンガ３１〜３Ｎの基地局１に属する基地局番号のデータを読み出すため、基地局１に属するフィンガ３１〜３Ｎに対してリード信号を出力し、アドレスの低い順に各フィンガよりシンボルデータを読み出し、ＲＡＫＥ受信処理を行い、ＲＡＫＥ合成部Ｈ４１より復調出力１１と復調基地局番号２３０を出力し、ＲＡＫＥ受信完了信号２０２を調停回路部Ｈ４２に出力し、ＲＡＫＥ受信処理が終了したことを通知し、次の受信待ち状態になる。
【００４２】
基地局２のＲＡＫＥ受信処理する場合は、フィンガ３１〜３Ｎから調停回路部Ｈ４２に入力されるフィンガ３１の基地局番号Ｈ１１３、フィンガ３２の基地局番号Ｈ１２３、フィンガ３３の基地局番号Ｈ１３３、フィンガ３４の基地局番号Ｈ１４３、フィンガ３５の基地局番号Ｈ１５３、フィンガ３Ｎの基地局番号Ｈ１Ｎ３とパラメータレジスタ６内の基地局２の有効フィンガ情報Ｈ６２とを比較し、フィンガ３１〜３Ｎの基地局２に属するフィンガを判別し、前記すべてのフィンガからシンボルの受信完了信号を示すＢＡＮＫ完了信号が調停回路部Ｈ４２に入力されるのを待つ。前記すべてのフィンガのシンボル受信が完了すると、調停回路部Ｈ４２よりＲＡＫＥ受信開始信号２０１とフィンガ３１〜３Ｎの基地局２に属する基地局番号とＲＡＫＥ受信基地局番号２３１とをRAKE合成部Ｈ４１へ出力する。RAKE合成部Ｈ４１は、フィンガ３１〜３Ｎの基地局２に属する基地局番号のデータを読み出すため、基地局２に属するフィンガ３１〜３Ｎに対してリード信号を出力し、アドレスの低い順に各フィンガよりシンボルデータを読み出し、ＲＡＫＥ受信処理を行い、ＲＡＫＥ合成部Ｈ４１より復調出力１１と復調基地局番号２３０を出力し、ＲＡＫＥ受信完了信号２０２を調停回路部Ｈ４２に出力し、ＲＡＫＥ受信処理が終了したことを通知し、次の受信待ち状態になる。
【００４３】
基地局３のＲＡＫＥ受信処理する場合は、フィンガ３１〜３Ｎから調停回路部Ｈ４２に入力されるフィンガ３１の基地局番号Ｈ１１３、フィンガ３２の基地局番号Ｈ１２３、フィンガ３３の基地局番号Ｈ１３３、フィンガ３４の基地局番号Ｈ１４３、フィンガ３５の基地局番号Ｈ１５３、フィンガ３Ｎの基地局番号Ｈ１Ｎ３とパラメータレジスタ６内の基地局３の有効フィンガ情報Ｈ６３とを比較し、フィンガ３１〜３Ｎの基地局３に属するフィンガを判別し、前記すべてのフィンガからシンボルの受信完了信号を示すＢＡＮＫ完了信号が調停回路部Ｈ４２に入力されるのを待つ。前記すべてのフィンガのシンボル受信が完了すると、調停回路部Ｈ４２よりＲＡＫＥ受信開始信号２０１とフィンガ３１〜３Ｎの基地局３に属する基地局番号とＲＡＫＥ受信基地局番号２３１とをRAKE合成部Ｈ４１へ出力する。RAKE合成部Ｈ４１は、フィンガ３１〜３Ｎの基地局３に属する基地局番号のデータを読み出すため、基地局３に属するフィンガ３１〜３Ｎに対してリード信号を出力し、アドレスの低い順に各フィンガよりシンボルデータを読み出し、ＲＡＫＥ受信処理を行い、ＲＡＫＥ合成部Ｈ４１より復調出力１１と復調基地局番号２３０を出力し、ＲＡＫＥ受信完了信号２０２を調停回路部Ｈ４２に出力し、ＲＡＫＥ受信処理が終了したことを通知し、次の受信待ち状態になる。
【００４４】
図２の、本発明の調停回路部の動作を説明する。
【００４５】
調停回路部Ｈ４２が基地局０をＲＡＫＥ受信処理する場合は、基地局０完了検出部４２０がフィンガ３１〜３Ｎから入力されるフィンガ３１の基地局番号Ｈ１１３、フィンガ３２の基地局番号Ｈ１２３、フィンガ３３の基地局番号Ｈ１３３、フィンガ３４の基地局番号Ｈ１４３、フィンガ３５の基地局番号Ｈ１５３、フィンガ３Ｎの基地局番号Ｈ１Ｎ３とパラメータレジスタ６内の基地局０の有効フィンガ情報Ｈ６０とを比較し、フィンガ３１〜３Ｎの基地局０に属するフィンガを判別し、前記すべてのフィンガのシンボル受信が完了すると、基地局０完了検出部４２０より基地局０−ＲＡＫＥ受信要求４２０１と基地局０−ＲＡＫＥ受信ＢＡＮＫ番号４２０３とを基地局調停部４２４へ出力し、基地局調停部４２４は、ＲＡＫＥ受信開始信号２０１とフィンガ３１の基地局番号２１１とフィンガ３２の基地局番号２１２とフィンガ３３の基地局番号２１３とフィンガ３４の基地局番号２１４とフィンガ３５の基地局番号２１５とフィンガ３Ｎの基地局番号２１ＮとＲＡＫＥ受信基地局番号２３１とをＲＡＫＥ合成部Ｈ４１へ出力し、ＲＡＫＥ合成部Ｈ４１から基地局調停部４２４へＲＡＫＥ受信完了信号２０２が入力され、基地局０完了検出部４２０へ基地局０−ＲＡＫＥ受信完了４２０２を出力する。
【００４６】
調停回路部Ｈ４２が基地局１をＲＡＫＥ受信処理する場合は、基地局２完了検出部４２２がフィンガ３１〜３Ｎから入力されるフィンガ３１の基地局番号Ｈ１１３、フィンガ３２の基地局番号Ｈ１２３、フィンガ３３の基地局番号Ｈ１３３、フィンガ３４の基地局番号Ｈ１４３、フィンガ３５の基地局番号Ｈ１５３、フィンガ３Ｎの基地局番号Ｈ１Ｎ３とパラメータレジスタ６内の基地局１の有効フィンガ情報Ｈ６１とを比較し、フィンガ３１〜３Ｎの基地局１に属するフィンガを判別し、前記すべてのフィンガのシンボル受信が完了すると、基地局１完了検出部４２１より基地局１−ＲＡＫＥ受信要求４２１１と基地局１−ＲＡＫＥ受信ＢＡＮＫ番号４２１３とを基地局調停部４２４へ出力し、基地局調停部４２４は、ＲＡＫＥ受信開始信号２０１とフィンガ３１の基地局番号２１１とフィンガ３２の基地局番号２１２とフィンガ３３の基地局番号２１３とフィンガ３４の基地局番号２１４とフィンガ３５の基地局番号２１５とフィンガ３Ｎの基地局番号２１ＮとＲＡＫＥ受信基地局番号２３１とをＲＡＫＥ合成部Ｈ４１へ出力し、ＲＡＫＥ合成部Ｈ４１から基地局調停部４２４へＲＡＫＥ受信完了信号２０２が入力され、基地局１完了検出部４２１へ基地局１−ＲＡＫＥ受信完了４２１２を出力する。
【００４７】
調停回路部Ｈ４２が基地局２をＲＡＫＥ受信処理する場合は、基地局２完了検出部４２２がフィンガ３１〜３Ｎから入力されるフィンガ３１の基地局番号Ｈ１１３、フィンガ３２の基地局番号Ｈ１２３、フィンガ３３の基地局番号Ｈ１３３、フィンガ３４の基地局番号Ｈ１４３、フィンガ３５の基地局番号Ｈ１５３、フィンガ３Ｎの基地局番号Ｈ１Ｎ３とパラメータレジスタ６内の基地局２の有効フィンガ情報Ｈ６２とを比較し、フィンガ３１〜３Ｎの基地局２に属するフィンガを判別し、前記すべてのフィンガのシンボル受信が完了すると、基地局２完了検出部４２２より基地局２−ＲＡＫＥ受信要求４２２１と基地局２−ＲＡＫＥ受信ＢＡＮＫ番号４２２３とを基地局調停部４２４へ出力し、基地局調停部４２４は、ＲＡＫＥ受信開始信号２０１とフィンガ３１の基地局番号２１１とフィンガ３２の基地局番号２１２とフィンガ３３の基地局番号２１３とフィンガ３４の基地局番号２１４とフィンガ３５の基地局番号２１５とフィンガ３Ｎの基地局番号２１ＮとＲＡＫＥ受信基地局番号２３１とをＲＡＫＥ合成部Ｈ４１へ出力し、ＲＡＫＥ合成部Ｈ４１から基地局調停部４２４へＲＡＫＥ受信完了信号２０２が入力され、基地局２完了検出部４２２へ基地局２−ＲＡＫＥ受信完了４２２２を出力する。
【００４８】
調停回路部Ｈ４２が基地局３をＲＡＫＥ受信処理する場合は、基地局３完了検出部４２３がフィンガ３１〜３Ｎから入力されるフィンガ３１の基地局番号Ｈ１１３、フィンガ３２の基地局番号Ｈ１２３、フィンガ３３の基地局番号Ｈ１３３、フィンガ３４の基地局番号Ｈ１４３、フィンガ３５の基地局番号Ｈ１５３、フィンガ３Ｎの基地局番号Ｈ１Ｎ３とパラメータレジスタ６内の基地局０の有効フィンガ情報Ｈ６３とを比較し、フィンガ３１〜３Ｎの基地局３に属するフィンガを判別し、前記すべてのフィンガのシンボル受信が完了すると、基地局３完了検出部４２３より基地局３−ＲＡＫＥ受信要求４２３１と基地局３−ＲＡＫＥ受信ＢＡＮＫ番号４２３３とを基地局調停部４２４へ出力し、基地局調停部４２４は、ＲＡＫＥ受信開始信号２０１とフィンガ３１の基地局番号２１１とフィンガ３２の基地局番号２１２とフィンガ３３の基地局番号２１３とフィンガ３４の基地局番号２１４とフィンガ３５の基地局番号２１５とフィンガ３Ｎの基地局番号２１ＮとＲＡＫＥ受信基地局番号２３１とをＲＡＫＥ合成部Ｈ４１へ出力し、ＲＡＫＥ合成部Ｈ４１から基地局調停部４２４へＲＡＫＥ受信完了信号２０２が入力され、基地局０完了検出部４２０へ基地局３−ＲＡＫＥ受信完了４２３２を出力する。
【００４９】
図３は、本発明の基地局調停部４２４の状態遷移図である。Ｓ０は、ＲＡＫＥ受信待ち状態であり、全てのＲＡＫＥ受信要求がアクティブになるのを待っている。Ｓ００は、全てのＲＡＫＥ受信要求が非アクティブ状態であることを示す。Ｓ０１は、Ｓ０から基地局０−ＲＡＫＥ受信要求４２０１がアクティブの場合に、Ｓ１の基地局０スタートに遷移し、Ｓ５のＲＡＫＥ受信状態に移行する。Ｓ０２は、Ｓ０から基地局１−ＲＡＫＥ受信要求４２１１がアクティブかつ基地局０−ＲＡＫＥ受信要求４２０１が非アクティブの場合に、Ｓ２の基地局１スタートに遷移し、Ｓ５のＲＡＫＥ受信状態に移行する。
【００５０】
Ｓ０３は、Ｓ０から基地局２−ＲＡＫＥ受信要求４２２１がアクティブかつ基地局１−ＲＡＫＥ受信要求４２１１が非アクティブかつ基地局０−ＲＡＫＥ受信要求４２０１が非アクティブの場合に、Ｓ３の基地局２スタートに遷移し、Ｓ５のＲＡＫＥ受信状態に移行する。Ｓ０４は、Ｓ０から基地局３−ＲＡＫＥ受信要求４２３１がアクティブかつ基地局２−ＲＡＫＥ受信要求４２２１が非アクティブかつ基地局１−ＲＡＫＥ受信要求４２１１が非アクティブかつ基地局０−ＲＡＫＥ受信要求４２０１が非アクティブの場合に、Ｓ４の基地局３スタートに遷移し、Ｓ５のＲＡＫＥ受信状態に移行する。
【００５１】
Ｓ５は、ＲＡＫＥ受信状態であり、ＲＡＫＥ受信完了信号２０２がアクティブになるのを待っている。Ｓ５５は、ＲＡＫＥ受信完了信号２０２が非アクティブ状態であることを示す。Ｓ５０は、ＲＡＫＥ受信完了信号２０２がアクティブの場合に、Ｓ５よりＳ０へ遷移する。
【００５２】
図５は、本発明の実施例２の構成図である。実施例２は、アンテナ１、無線回路２と、フィンガ３１、フィンガ３２、フィンガ３３、フィンガ３４、フィンガ３５、フィンガ３Ｎ、ＤＳＰ部Ｈ４、復調出力１１、復調基地局番号２３０とを有するスペクトル拡散受信装置Ｈ２で構成される。
【００５３】
無線回路２は、フィンガ３１、フィンガ３２、フィンガ３３、フィンガ３４、フィンガ３５、フィンガ３Ｎ に接続し、フィンガ３１のシンボルデータＨ１１１、ＤＳＰ部Ｈ４からフィンガ３１へのリード信号Ｈ１１２、フィンガ３２のシンボルデータＨ１２１、ＤＳＰ部Ｈ４からフィンガ３２へのリード信号Ｈ１２２、フィンガ３３のシンボルデータＨ１３１、ＤＳＰ部Ｈ４からフィンガ３３へのリード信号Ｈ１３２、フィンガ３４のシンボルデータＨ１４１、ＤＳＰ部Ｈ４からフィンガ３４へのリード信号Ｈ１４２、フィンガ３５のシンボルデータＨ１５１、ＤＳＰ部Ｈ４からフィンガ３５へのリード信号Ｈ１５２、フィンガ３ＮのシンボルデータＨ１Ｎ１、ＤＳＰ部Ｈ４からフィンガ３Ｎへのリード信号Ｈ１Ｎ２により、ＤＳＰ部Ｈ４に接続する構成になっている。
【００５４】
各フィンガは、フィンガ３１の基地局番号Ｈ１１３、フィンガ３１のＢＡＮＫ完了信号Ｈ１１４、フィンガ３２の基地局番号Ｈ１２３、フィンガ３２のＢＡＮＫ完了信号Ｈ１２４、フィンガ３３の基地局番号Ｈ１３３、フィンガ３３のＢＡＮＫ完了信号Ｈ１３４、フィンガ３４の基地局番号Ｈ１４３、フィンガ３４のＢＡＮＫ完了信号Ｈ１４４、フィンガ３５の基地局番号Ｈ１５３、フィンガ３５のＢＡＮＫ完了信号Ｈ１５４、フィンガ３Ｎの基地局番号Ｈ１Ｎ３、フィンガ３ＮのＢＡＮＫ完了信号Ｈ１Ｎ４により、ＤＳＰ部Ｈ４に接続され、DSP部Ｈ４より復調出力１１と復調基地局番号２３０とをＲＡＫＥ受信器より出力する構成になっている。
【００５５】
図６、図７のフローチャートで使用している変数は、ＡＣＣがＲＡＫＥ受信用変数、ＤＡＴＡ［］が図８に従ったアドレスからのリードデータ、ＲＬＮが基地局番号、Ｒｅｓｕｌｔ［３］が復調出力格納用レジスタ、ｉおよびＮＳＹＭがループカウンタである。ＦＩＮ＿ＥＮ＿ＲＬ［３］が基地局毎の有効フィンガ情報パラメータ（フィンガ番号に対応するビットが１のとき有効）、ＦＩＮ＿ＲＬ［３］が基地局毎のフィンガ処理完了フラグ（フィンガ番号に対応するビットが１のとき有効）、ＢＡＮＫ＿ＣＮＴ＿ＲＬ［３］が基地局毎のバンク番号カウンタである。ＳＬＯＴ＿ＨＥＡＤがバンク先頭フラグで１のときがバンク先頭を示し、ＲＬＮが基地局番号格納用レジスタである。
【００５６】
ＤＳＰ部Ｈ４は、リセット後に初期化処理に入り、パラメータＦＩＮ＿ＥＮ＿ＲＬ［］の設定と内部状態ＦＩＮ＿ＲＬ［］およびＢＡＮＫ＿ＣＮＴ＿ＲＬ［］の０クリアを実行し、ＳＬＥＥＰ状態になる。
【００５７】
図６は、実施例２の基地局毎のフィンガが揃ったことを判定する部分のフローチャートである。各フィンガ処理がＢＡＮＫ単位での終了後に発生する信号ＢＡＮＫ完了信号Ｈ１Ｎ４を割り込み処理として実行する。
【００５８】
まず割り込み処理を開始（ステップＡ２０）する。変数ＲＬＮに、フィンガ３Ｎの基地局番号Ｈ１Ｎ３を格納する（ステップＡ２１）。次にＢＡＮＫ先頭かどうか判断（ステップＡ２２）し、変数ＳＬＯＴ＿ＨＥＡＤが１であった場合は、ＢＡＮＫ＿ＣＮＴ＿ＲＬ［ＲＬＮ］に０を代入する（ステップＡ２３）。変数ＳＬＯＴ＿ＨＥＡＤが０であった場合は、ステップＡ２４に進む。
【００５９】
変数ＳＬＯＴ＿ＨＥＡＤはＢＡＮＫ完了信号Ｈ１Ｎ４に含まれる。ＦＩＮ＿ＲＬ［ＲＬＮ］のフィンガ番号に対応するビットを１にする（ステップＡ２４）。変数ＲＬＮのフィンガ処理が終了しているか判断（ステップＡ２５）し、ＦＩＮ＿ＲＬ［ＲＬＮ］とＦＩＮ＿ＥＮ＿ＲＬ［ＲＬＮ］が一致している場合はＲＡＫＥ受信を実施する（ステップＡ２６）。
ＦＩＮ＿ＲＬ［ＲＬＮ］とＦＩＮ＿ＥＮ＿ＲＬ［ＲＬＮ］が一致していない場合は、ＳＬＥＥＰ状態となる（ステップＡ２７）。
【００６０】
図７は、実施例２の基地局毎のDSP部の制御フローチャートである。ＲＡＫＥ受信を開始する（ステップＡ３０）と、最初にＦＩＮ＿ＲＬ［ＲＬＮ］を０クリアする（ステップＡ３１）。変数ＮＳＹＭが０から３まで１ずつ増加させループする（ステップＡ３２）。変数ｉを０から５まで１ずつ増加させ、ループする（ステップＡ３３）。フィンガがイネーブルかどうか判断する（ステップＡ３４）。
【００６１】
ＦＩＮ＿ＥＮ＿ＲＬ［ＲＬＮ］のｉビット目が０であった場合、ループする（ステップＡ３７）。ＦＩＮ＿ＥＮ＿ＲＬ［ＲＬＮ］のｉビット目が１であった場合、変数ＡＤＤＲにｉを８ビット左シフトした値とＢＡＮＫ＿ＣＮＴ＿ＲＬ［ＲＬＮ］を４ビット左にシフトした値とＮＳＹＭを加算したものを代入する（ステップＡ３５）。変数ＡＣＣにＡＣＣとアドレスＡＤＤＲから読み出したデータを加算し、ＲＡＫＥ受信を行う（ステップＡ３６）。
処理後、ステップＡ３３の条件が成立するまでループする（ステップＡ３７）
【００６２】
変数ＲＥＳＵＬＴ［ＲＬＮ］にＡＣＣを代入し、ＲＥＳＵＬＴ［ＲＬＮ］を復調出力１１として、ＲＬＮを復調基地局番号２３０として、それぞれ出力する（ステップＡ３８）。
ＡＣＣを０クリアする（ステップＡ３９）。処理後、ステップＡ３２の条件が成立するまでループする（ステップＡ４０）。ＢＡＮＫ＿ＣＮＴ＿ＲＬ［ＲＬＮ］に１を加算する（ステップＡ４１）。処理が終了するとＳＬＥＥＰ状態となる（ステップＡ４２）。
【００６３】
以上説明したように、本発明によればＨＳＵＰＡ規格で規定されている異なるタイミングの複数基地局からのチャネルを受信することが可能となる。その理由としては、課題であった複数基地局の受信に関し各基地局へのアクセスが競合／非競合状態のどちらであっても、調停回路が基地局番号の情報を使って制御を行うことにより、異なる複数の基地局を同一基地局からのデータとして合成することなく、パラメータレジスタに設定した基地局に属するフィンガ情報により、ＢＡＮＫ完了信号が揃った順にＲＡＫＥ合成部で正しいデータとして合成し、復調出力することが可能となるためである。
【図面の簡単な説明】
【００６４】
【図１】本発明のスペクトル拡散受信装置の構成図
【図２】本発明の調停回路部の構成図
【図３】本発明の基地局調停部の状態遷移図
【図４】従来のスペクトル拡散受信装置の構成図
【図５】実施例２のスペクトル拡散受信装置の構成図
【図６】実施例２の基地局毎のフィンガが揃ったことを判定する部分のフローチャート
【図７】実施例２の基地局毎のDSP部制御フローチャート
【図８】実施例２の受信シンボルデータを格納するアドレスマップ
【図９】従来の方式（規格）との比較図
【図１０】従来の方式（規格）との比較図
【図１１】従来の方式（規格）との比較図
【符号の説明】
【００６５】
１                     アンテナ
２                     無線回路
２１                   ベースバンド信号
Ｈ１                   スペクトル拡散受信装置
Ｈ２                   スペクトル拡散受信装置
３                     タイミング制御回路
４０〜４２            プリカ符号発生器
５０〜５２            相関器
６０〜６２            同期検波器
７１                   タイミング調整回路
８１                   記憶回路
９                     タイミング信号
１０                   ＲＡＫＥ合成器
１１                   復調出力
１００〜１０２    フィンガ
１１０〜１１２    フィンガ処理タイミング
１２０〜１２２    逆拡散データ
１３０             書き込みアドレス
１３１             書き込みデータ
１３２             書き込み信号
１４０             読み出しアドレス
１４１             読み出しデータ
１４２             読み出し信号
１５０〜１５２    逆拡散データ出力フラグ
３１〜３５、３Ｎ  フィンガ
４                     ＲＡＫＥ受信器
Ｈ４               ＤＳＰ部
Ｈ４１         ＲＡＫＥ合成部
Ｈ４２         調停回路部
４２０         基地局０完了検出部
４２０１         基地局０−ＲＡＫＥ受信要求
４２０２         基地局０−ＲＡＫＥ受信完了
４２０３         基地局０−ＲＡＫＥ受信ＢＡＮＫ番号
４２１         基地局１完了検出部
４２１１         基地局１−ＲＡＫＥ受信要求
４２１２         基地局１−ＲＡＫＥ受信完了
４２１３         基地局１−ＲＡＫＥ受信ＢＡＮＫ番号
４２２         基地局２完了検出部
４２２１         基地局２−ＲＡＫＥ受信要求
４２２２         基地局２−ＲＡＫＥ受信完了
４２２３         基地局２−ＲＡＫＥ受信ＢＡＮＫ番号
４２３         基地局３完了検出部
４２３１         基地局３−ＲＡＫＥ受信要求
４２３２         基地局３−ＲＡＫＥ受信完了
４２３３         基地局３−ＲＡＫＥ受信ＢＡＮＫ番号
４２４         基地局調停部
６                 パラメータレジスタ
Ｈ６０         基地局０の有効フィンガ情報
Ｈ６１         基地局１の有効フィンガ情報
Ｈ６２         基地局２の有効フィンガ情報
Ｈ６３         基地局３の有効フィンガ情報
Ｈ１１１         フィンガ３１のシンボルデータ
Ｈ１１２         ＲＡＫＥ合成部Ｈ４１からフィンガ３１へのリード信号
Ｈ１１３         フィンガ３１の基地局番号
Ｈ１１４         フィンガ３１のＢＡＮＫ完了信号
Ｈ１２１         フィンガ３２のシンボルデータ
Ｈ１２２         ＲＡＫＥ合成部Ｈ４１からフィンガ３２へのリード信号
Ｈ１２３         フィンガ３２の基地局番号
Ｈ１２４         フィンガ３２のＢＡＮＫ完了信号
Ｈ１３１         フィンガ３３のシンボルデータ
Ｈ１３２         ＲＡＫＥ合成部Ｈ４１からフィンガ３３へのリード信号
Ｈ１３３         フィンガ３３の基地局番号
Ｈ１３４         フィンガ３３のＢＡＮＫ完了信号
Ｈ１４１         フィンガ３４のシンボルデータ
Ｈ１４２         ＲＡＫＥ合成部Ｈ４１からフィンガ３４へのリード信号
Ｈ１４３         フィンガ３４の基地局番号
Ｈ１４４         フィンガ３４のＢＡＮＫ完了信号
Ｈ１５１         フィンガ３５のシンボルデータ
Ｈ１５２         ＲＡＫＥ合成部Ｈ４１からフィンガ３５へのリード信号
Ｈ１５３         フィンガ３５の基地局番号
Ｈ１５４         フィンガ３５のＢＡＮＫ完了信号
Ｈ１Ｎ１         フィンガ３Ｎのシンボルデータ
Ｈ１Ｎ２         ＲＡＫＥ合成部Ｈ４１からフィンガ３Ｎへのリード信号
Ｈ１Ｎ３         フィンガ３Ｎの基地局番号
Ｈ１Ｎ４         フィンガ３ＮのＢＡＮＫ完了信号
２０１         ＲＡＫＥ受信開始信号
２０２         ＲＡＫＥ受信完了信号
２１１         フィンガ３１の基地局番号
２１２         フィンガ３２の基地局番号
２１３         フィンガ３３の基地局番号
２１４         フィンガ３４の基地局番号
２１５         フィンガ３５の基地局番号
２１Ｎ         フィンガ３Ｎの基地局番号
２２０         ＲＡＫＥ受信する基地局のＢＡＮＫ番号
２３０         復調基地局番号
２３１          ＲＡＫＥ受信基地局番号
【図１】
0004954107.tif 000002
【図２】
0004954107.tif 000003
【図３】
0004954107.tif 000004
【図４】
0004954107.tif 000005
【図５】
0004954107.tif 000006
【図６】
0004954107.tif 000007
【図７】
0004954107.tif 000008
【図８】
0004954107.tif 000009
【図９】
0004954107.tif 000010
【図１０】
0004954107.tif 000011
【図１１】
0004954107.tif 000012